(57)【要約】【課題】省電力モードにおいて消費電力を低減させることを可能とする画像形成装置の電源供給ユニットを提供する。【解決手段】複数の動作のモードの間で画像形成装置１を制御する第１制御回路３と、第１制御回路３へ商用電源４１から供給される電力を供給する第１の電力系６０ａと、商用電源４１から供給される電力を下流側負荷へ供給する第２の電力系６０ｂと、通常モードでは電力系６０ｂからの電力により充電される蓄電部９と、本体カバーの開閉と連動し電力系６０ｂへの商用電源４１からの電力を切断／投入するスイッチ７０と、スイッチ７０を経由して商用電源４１からの電力を供給される第２制御回路２４ｃと、電力系６０ｂにより電力を供給される冷却ファン３６と、省電力モードでは冷却ファン３６に対する電力系６０ｂからの電力を遮断し、蓄電部９から冷却ファン３６への電力を供給するよう電力の供給経路を切替える経路切替部１０とを備える。【選択図】図５
2010244046.tif 000002
【特許請求の範囲】
【請求項１】
媒体に画像を形成する画像形成装置が通常の消費電力で動作する通常モード、および前記消費電力よりも低い電力で前記画像形成装置が動作する省電力モードを含む複数の動作のモードの間で前記画像形成装置を制御する第１制御回路と、
少なくとも前記第１制御回路へ商用電源から供給される電力を供給する第１の電力系と、
前記商用電源から供給される電力を、自身よりも下流側の負荷へ供給する第２の電力系と、
前記第２の電力系の給電方向下流側に設けられ、前記通常モードでは前記第２の電力系からの電力により充電される蓄電部と、
本体カバーのオープン／クローズと連動し前記第２の電力系への前記商用電源からの電力を切断／投入するスイッチと、
前記スイッチを経由して前記商用電源からの電力を供給される第２制御回路と、
前記第２制御回路により制御され、前記第２の電力系により電力を供給される冷却ファンと、
前記第２制御回路によって駆動され、前記省電力モードでは、前記冷却ファンに対する前記第２の電力系からの電力を遮断し、前記蓄電部から前記冷却ファンへの電力を供給するよう前記電力の供給経路を切替える経路切替部と、を備えることを特徴とする画像形成装置の電源供給ユニット。
【請求項２】
前記蓄電部に蓄電された蓄電量を示す情報を出力する監視部を更に備え、
前記第２制御回路は、前記省電力モードでは、前記監視部から伝達される前記情報に応じて、前記第２の電力系から前記冷却ファンに電力を供給するか、前記蓄電部から前記冷却ファンに電力を供給するかを判断することを特徴とする請求項１記載の画像形成装置の電源供給ユニット。
【請求項３】
前記第１の電力系により電力を供給され、温度センサによる検知温度を前記第１制御回路へ出力する温度検知回路、および前記蓄電部に蓄電された蓄電量を示す情報を出力する監視部を更に備え、
前記蓄電部はそれぞれ電荷を蓄積する複数の蓄電デバイスより構成され、前記監視部は各蓄電デバイスにそれぞれ蓄えられている電力量を監視し、
前記第１制御回路が前記省電力モードへの移行を指示した場合、前記第２制御回路は、前記温度検知回路からの出力により前記冷却ファンの駆動を継続する時間分の必要な電力量を算出し、かつ前記監視部の監視結果に応じて必要な前記蓄電デバイスを前記複数の蓄電デバイスの中から指定し、指定した蓄電デバイスに対して前記冷却ファンへの電力供給を指示し、その後、前記冷却ファンへの電力の供給経路を前記経路切替部に切替えさせることを特徴とする請求項１記載の画像形成装置の電源供給ユニット。
【請求項４】
商用電源から供給される電力により電子写真方式を用いて媒体に対して現像剤像を生成するプロセス部と、
発熱体が前記商用電源から供給される電力により発生した熱により前記媒体上の現像剤像を定着させる定着器と、
媒体に画像を形成する画像形成装置が通常の消費電力で動作する通常モード、および前記消費電力よりも低い電力で前記画像形成装置が動作する省電力モードを含む複数の動作のモードの間で前記プロセス部および前記定着器を制御する第１制御回路と、
少なくとも前記第１制御回路へ商用電源から供給される電力を供給する第１の電力系と、
前記商用電源から供給される電力を、自身よりも下流側の負荷へ供給する第２の電力系と、
前記第２の電力系の給電方向下流側に設けられ、前記通常モードでは前記第２の電力系からの電力により充電される蓄電部と、
本体カバーのオープン／クローズと連動し前記第２の電力系への前記商用電源からの電力を切断／投入するスイッチと、
前記スイッチを経由して前記商用電源からの電力を供給される第２制御回路と、
前記第２制御回路により制御され、前記第２の電力系により電力を供給される冷却ファンと、
前記第２制御回路によって駆動され、前記省電力モードでは、前記冷却ファンに対する前記第２の電力系からの電力を遮断し、前記蓄電部から前記冷却ファンへの電力を供給するよう前記電力の供給経路を切替える経路切替部と、を備えることを特徴とする画像形成装置。
【請求項５】
前記蓄電部に蓄電された蓄電量を示す情報を出力する監視部を更に備え、
前記第２制御回路は、前記省電力モードでは、前記監視部から伝達される前記情報に応じて、前記第２の電力系から前記冷却ファンに電力を供給するか、前記蓄電部から前記冷却ファンに電力を供給するかを判断することを特徴とする請求項４記載の画像形成装置。
【請求項６】
前記第１の電力系により電力を供給され、温度センサによる検知温度を前記第１制御回路へ出力する温度検知回路、および前記蓄電部に蓄電された蓄電量を示す情報を出力する監視部を更に備え、
前記蓄電部はそれぞれ電荷を蓄積する複数の蓄電デバイスより構成され、前記監視部は各蓄電デバイスにそれぞれ蓄えられている電力量を監視し、
前記第１制御回路が前記省電力モードへの移行を指示した場合、前記第２制御回路は、前記温度検知回路からの出力により前記冷却ファンの駆動を継続する時間分の必要な電力量を算出し、かつ前記監視部の監視結果に応じて必要な前記蓄電デバイスを前記複数の蓄電デバイスの中から指定し、指定した蓄電デバイスに対して前記冷却ファンへの電力供給を指示し、その後、前記冷却ファンへの電力の供給経路を前記経路切替部に切替えさせることを特徴とする請求項４記載の画像形成装置。
【発明の詳細な説明】
【技術分野】
【０００１】
本発明は画像形成装置の電源供給ユニットおよび画像形成装置に関する。
【背景技術】
【０００２】
国際標準エナジースターは省エネルギーに関する仕様を制定する。エナジースターは、複写機やＭＦＰ（Ｍｕｌｔｉ Ｆｕｎｃｔｉｏｎ Ｐｅｒｉｐｈｅｒａｌ）などの分野に対し、マシンの複数の動作のモードと、各モードにおいて要求される消費電力のレベルとを定める。
【０００３】
画像形成装置が消費電力をセーブする方法の一つは、マシンがスタンバイの状態にあるときに、定着器のヒートローラへ供給される電力をゼロにすることである。しかし、電力をセーブする方法では、マシンが起動する場合、ヒートローラの温度が定着可能温度まで到達するために時間がかかる。
【０００４】
ヒートローラの温度を定着可能温度に速やかに到達させるとともに画像形成装置における消費電力を減らすことが求められる。
【０００５】
特許文献１はヒートローラの温度の上昇に要する時間を短縮させる画像形成装置を記載する。特許文献１は主電源に加え補助電源装置を用いて発熱部材に供給することを開示する。特許文献１は補助電源装置が、充放電可能な蓄電部材、蓄電部材の充電量を検知する充電量検知手段、および蓄電部材の充放電を切替える切替手段を有することを開示する。
【０００６】
制御部は複数の動作モードの間でマシンの状態を遷移させる。動作モードは通常モードと、省電力モードとを有する。通常モードは例えばコピーモードである。コピーモードでは印刷エンジンが印刷を実行する。
【０００７】
省電力モードは、印刷終了後のレディモード、定着器の温度を下げる節電モード、大部分の部品を非活性化させるスリープモードなどを有する。
【０００８】
通常モード、省電力モードの各モード名は、エナジースターが規定する電力のレベルの範囲に応じて種々決められる。
【０００９】
印刷が終了すると、制御部はコピーモードから、レディモードに移行する。レディモードでは制御部はヒートローラの温度を定着可能温度にて一定に制御する。設定時間、レディモードにあるマシンがユーザから操作を受けないと、制御部はレディモードを抜けて節電モードへ入る。
【００１０】
節電モードでは制御部はごく一部の電源ラインを除き主要な電源ラインをオフとする。節電モードにおいて所定時間ユーザにより操作されないと、マシンはモードをスリープモードに移行させる。
【００１１】
節電モードにおいて消費電力を減らすことについて更に述べる。
【００１２】
節電モードでは、制御部は定着器の温度を、定着器の通常待機状態における温度よりも下げる。
【００１３】
又、画像形成装置が印刷直後であるとき、制御部はプロセス系の部品の温度を監視しながら、定着器の温度を徐々に低下させる。プロセス系部品とは、感光体ドラム、帯電器、現像器、除電器、クリーナなどを指す。
【００１４】
節電モードにおいて、オゾンを排気する為、制御部は制御回路や駆動部に電力を供給し、定着器の温度検知回路やファンモータを駆動させる必要がある。
【００１５】
帯電器によるコロナ放電はオゾンを発生させる。オゾンの過剰な残留は、次回の帯電における空気の電離を妨げる。結露による水とオゾンとの反応によって画像によくない窒素酸化物が感光体上に生成される。
【００１６】
オゾンを排出するファンに関し、特許文献２は、複数の各種ユニットにそれぞれファンを設け、各ファンによる冷却及び空気の流れを制御することを可能とする画像形成装置を開示する。
【００１７】
節電モードでは、制御部は、定着器のヒートローラ及びファンモータ等の電源回路を動作させ続ける。電源部は低電圧の電源を生成するスイッチング回路を有し、制御部はスイッチング回路を発振させ続ける。
【００１８】
制御部は、プロセス系部品を冷却するファンのファンモータや、高電圧の部品において生じるオゾンを排気する為のファンのファンモータへの電力を、節電モードにおいても低圧電源に供給させる。
【先行技術文献】
【特許文献】
【００１９】
【特許文献１】特開２００８−１２２９１４号公報
【特許文献２】特開平９−２１２０６６号公報
【発明の概要】
【発明が解決しようとする課題】
【００２０】
しかし、節電モードにおける低圧電源からの供給は電源の使用の効率を悪化させる。
【００２１】
節電モードにおいてモータが動作すること、及び温度検知回路が動作することは、一次側の電力の消費量を悪化させる。マシンのトータルの消費電力が改善されない。
【００２２】
そこで、本発明は、上記の課題に鑑み、省電力モードにおいて消費電力を低減させることを可能とする画像形成装置の電源供給ユニットおよび画像形成装置を提供することを目的とする。
【課題を解決するための手段】
【００２３】
このような課題を解決するため、本発明の一態様によれば、媒体に画像を形成する画像形成装置が通常の消費電力で動作する通常モード、および前記消費電力よりも低い電力で前記画像形成装置が動作する省電力モードを含む複数の動作のモードの間で前記画像形成装置を制御する第１制御回路と、少なくとも前記第１制御回路へ商用電源から供給される電力を供給する第１の電力系と、前記商用電源から供給される電力を、自身よりも下流側の負荷へ供給する第２の電力系と、前記第２の電力系の給電方向下流側に設けられ、前記通常モードでは前記第２の電力系からの電力により充電される蓄電部と、本体カバーのオープン／クローズと連動し前記第２の電力系への前記商用電源からの電力を切断／投入するスイッチと、前記スイッチを経由して前記商用電源からの電力を供給される第２制御回路と、前記第２制御回路により制御され、前記第２の電力系により電力を供給される冷却ファンと、前記第２制御回路によって駆動され、前記省電力モードでは、前記冷却ファンに対する前記第２の電力系からの電力を遮断し、前記蓄電部から前記冷却ファンへの電力を供給するよう前記電力の供給経路を切替える経路切替部と、を備えることを特徴とする画像形成装置の電源供給ユニットが提供される。
【００２４】
また、本発明の別の一態様によれば、商用電源から供給される電力により電子写真方式を用いて媒体に対して現像剤像を生成するプロセス部と、発熱体が前記商用電源から供給される電力により発生した熱により前記媒体上の現像剤像を定着させる定着器と、媒体に画像を形成する画像形成装置が通常の消費電力で動作する通常モード、および前記消費電力よりも低い電力で前記画像形成装置が動作する省電力モードを含む複数の動作のモードの間で前記プロセス部および前記定着器を制御する第１制御回路と、少なくとも前記第１制御回路へ商用電源から供給される電力を供給する第１の電力系と、前記商用電源から供給される電力を、自身よりも下流側の負荷へ供給する第２の電力系と、前記第２の電力系の給電方向下流側に設けられ、前記通常モードでは前記第２の電力系からの電力により充電される蓄電部と、本体カバーのオープン／クローズと連動し前記第２の電力系への前記商用電源からの電力を切断／投入するスイッチと、前記スイッチを経由して前記商用電源からの電力を供給される第２制御回路と、前記第２制御回路により制御され、前記第２の電力系により電力を供給される冷却ファンと、前記第２制御回路によって駆動され、前記省電力モードでは、前記冷却ファンに対する前記第２の電力系からの電力を遮断し、前記蓄電部から前記冷却ファンへの電力を供給するよう前記電力の供給経路を切替える経路切替部と、を備えることを特徴とする画像形成装置が提供される。
【発明の効果】
【００２５】
本発明によれば、省電力モードにおいて消費電力を低減させることが可能になる。
【図面の簡単な説明】
【００２６】
【図１】本発明の第１実施形態に係る画像形成装置の構成図である。
【図２Ａ】駆動基板の構成例を示す図である。
【図２Ｂ】温度検知回路のブロック図である。
【図３】低圧電源部の構成例を示す図である。
【図４】（ａ）乃至（ｃ）はいずれも蓄電部の構成例を示す図である。
【図５】本発明の第１の実施形態に係る画像形成装置に用いられる電力切替制御機能に焦点を合わせた機能ブロック図である。
【図６】従来例に係るカラー複写機の電源構成の要部を示す図である。
【図７】本発明の第２の実施形態に係る画像形成装置に用いられる電力切替制御機能に焦点を合わせた機能ブロック図である。
【図８Ａ】温度と冷却時間との特性を示す線図である。
【図８Ｂ】蓄電量と放電時間との特性を示す線図である。
【図９】節電モードでの第１制御回路による電源切替処理を説明するためのフローチャートである。
【図１０】節電モードでの第１制御回路による電源切替処理を説明するための別のフローチャートである。
【発明を実施するための形態】
【００２７】
以下、本発明の実施の形態に係る画像形成装置の電力供給ユニットおよび画像形成装置について、図１乃至図１０を参照しながら説明する。尚、各図において同一箇所については同一の符号を付すとともに、重複した説明は省略する。
【００２８】
（第１の実施形態）
本発明の第１実施形態に係る画像形成装置はカラー複写機である。本発明の第１の実施形態に係る画像形成装置の電力供給ユニットはカラー複写機に設けられる電源ユニットである。
【００２９】
図１はカラー複写機の構成図である。カラー複写機１は、機体１ａ、スキャナ部２、画像処理部４４、プリンタ部４、給紙部５、主制御部６、電源部７を備える。
【００３０】
スキャナ部２の上部のドキュメントフィーダ１１はスキャナ部２に原稿を差入れる。スキャナ部２は原稿を走査し、読取った画像情報をアナログ信号に変換する。画像処理部４４はスキャナ部２からの３色の画像データから４印刷色へ変換する。
【００３１】
プリンタ部４は用紙上に画像を形成し用紙を出力する。プリンタ部４は画像形成ユニット１２を備える。給紙部５はプリンタ部４に用紙を供給する。
【００３２】
主制御部６はカラー複写機１全体の動作の制御を司る。主制御部６はＣＰＵ（Ｃｅｎｔｒａｌ Ｐｒｏｃｅｓｓｉｎｇ Ｕｎｉｔ）３、メカコントローラ４５、ＲＯＭ（Ｒｅａｄ Ｏｎｌｙ Ｍｅｍｏｒｙ）４６、図示しないＲＡＭ（Ｒａｎｄｏｍ Ａｃｃｅｓｓ Ｍｅｍｏｒｙ）を設ける。
【００３３】
メカコントローラ４５は図示しない複数のモータドライバに対して制御信号を出力する。モータドライバは冷却用のファンのファンモータに対して制御信号を送るＩＣ（Ｉｎｔｅｇｒａｔｅｄ Ｃｉｒｃｕｉｔ）である。
【００３４】
ＣＰＵ３はコピーモードと複数の省電力モードとのうち、いずれか一つのモードを決定する。ＣＰＵ３は後述する電力供給ユニット７４の第１制御回路として機能する。
【００３５】
モータドライバは、プリンタ部４内に設けられたローラ、レーザ光の走査用部材、ドラムに用いられる各モータも駆動する。
【００３６】
モータドライバには、ハイ、ロー信号を出力する半導体素子を有するモータドライバ回路が用いられる。モータドライバはそれぞれ駆動基板上に設けられる。各駆動基板はそれぞれ主制御部６との間で信号を授受可能である。
【００３７】
メカコントローラ４５は画像処理部４４が出力する画像データに基づいて、各モータドライバに制御信号を出力し、各モータの動作を制御する。
【００３８】
画像形成ユニット１２は、それぞれベルト１３に沿って並列に設けられたイエロ（Ｙ）、マゼンタ（Ｍ）、シアン（Ｃ）、ブラック（Ｋ）の画像形成ステーション１４Ｙ、１４Ｍ、１４Ｃ、１４Ｋを有する。
【００３９】
ベルト１３は中間転写ベルトである。ベルト１３は、ローラ１５ａ（又はローラ１５ｂ）によって矢印方向に走行する。ローラ１５ａをモータ５０が回す。モータ５０は転写ベルトモータである。
【００４０】
画像形成ステーション１４Ｙは、感光体ドラム１６、帯電器１７、現像器１８、転写ローラ１９、クリーナ２０、除電器２１を設ける。
【００４１】
画像形成ステーション１４Ｍ、１４Ｃ、１４Ｋの構成は、画像形成ステーション１４Ｙの構成と実質同じである。
【００４２】
画像形成ステーション１４Ｙ、１４Ｍ、１４Ｃ、１４Ｋにはそれぞれモータ５１が設けられる。各モータ５１はドラムモータである。
【００４３】
画像形成ステーション１４Ｙ、１４Ｍ、１４Ｃ、１４Ｋ内の現像器１８にはそれぞれモータ５２が設けられる。各モータ５２は現像モータである。
【００４４】
各転写ローラ１９は転写器の一部である。転写器は感光体ドラム１６上に形成されたトナー像を用紙に転写する。転写ローラ１９にはモータ５３が設けられる。各モータ５３は転写モータである。モータ５０、５１、５２、５３はいずれも図示しない駆動用の基板上のモータドライバにより駆動される。
【００４５】
画像形成ユニット１２は、画像形成ステーション１４Ｙ、１４Ｍ、１４Ｃ、１４Ｋの上方にレーザ露光装置２２を有する。
【００４６】
更にプリンタ部４は、用紙が搬送される方向で下流に設けられた定着器２３と、定着器２３を制御する駆動基板２４と、用紙を排紙部２５へ搬送する排紙ローラ２６とを備える。
【００４７】
定着器２３は、加熱源としてのヒータ２７を内蔵するヒートローラ２８と、上方に向かってスプリング２９ａによる弾性力を加えられたプレスローラ２９と、ヒートローラ２８の表面に設けられた温度センサ３０と、定着器２３のケースに設けられた冷却用のファン３６（冷却ファン）とを備える。
【００４８】
ヒータ２７は誘導加熱コイルであり、リッツワイヤが用いられる。ヒータ２７は高周波電流を印加されると磁束を発生する。磁束の変動はヒートローラ２８に渦電流を発生させる。渦電流とヒートローラ２８の抵抗成分とがヒートローラ２８に熱を発生させる。
【００４９】
ヒートローラ２８は円筒状の金属層を有する。ヒートローラ２８はモータ５４により回される。モータ５４は例えば定着モータであり、駆動基板２４上のモータドライバにより駆動される。
【００５０】
プレスローラ２９は従動ローラである。プレスローラ２９はコアと、コアの周囲に表面弾性層とを有する。温度センサ３０にはサーミスタが用いられる。
【００５１】
駆動基板２４の機能は主に、定着器２３の加熱、回転駆動、温度調節である。駆動基板２４と主制御部６とは信号線３１により接続される。
【００５２】
図２Ａは駆動基板２４の構成例を示す図である。同図において、既述の符号と同じ符号を有する要素はそれらと同じ要素を表す。
【００５３】
駆動基板２４は、温度センサ３０の出力によりヒートローラ２８の表面温度を検知する温度検知回路２４ａと、温度検知回路２４ａから検知信号を出力される制御ドライバ２４ｃ（第２制御回路）と、ヒータ２７を加熱するためのヒータ駆動回路４０とを備える。
【００５４】
駆動基板２４は、制御ドライバ２４ｃ及び主制御部６間で信号線３１を介して信号を授受するインターフェース部２４ｄと、モータ５４を駆動するモータドライバ２４ｅと、ファン３６を回すファンモータ５７を駆動するモータドライバ２４ｆとを備える。
【００５５】
温度検知回路２４ａは、例えば図２Ｂに示されるように、コンパレータ４７と、それぞれバイアス用の抵抗器４８からなる抵抗バイアス回路４９と、温度センサ３０それ自身とを備える。
【００５６】
コンパレータ４７は２本の入力端子を有する。一方の入力端子には抵抗バイアス回路４９が接続される。抵抗バイアス回路４９は端子に参照電圧を与える。コンパレータ４７の他の入力端子の電圧を、電圧Ａとして温度検知回路２４ａは出力する。電圧Ａは、抵抗器４８、温度センサ３０及び他の抵抗器４８の直列接続によりプルアップ電圧を分割して得られた電圧値である。
【００５７】
温度検知回路２４ａは電圧Ａを制御ドライバ２４ｃに入力する。あるいは温度検知回路２４ａは電圧ＡをＣＰＵ３のアナログポートに入力する。温度センサ３０の抵抗値の変化に応じてコンパレータ４７の２端子間の電圧が変化する。ＣＰＵ３は、定着器２３の温度を検知する。
【００５８】
図２Ａのヒータ駆動回路４０は高い電力の高周波電流をヒータ２７へ印加する。ヒータ駆動回路４０はヒータ２７へ数百Ｗの電力を供給する。複数の異なる電力レベルにてヒータ２７が発熱するように電流又は電圧をヒータ駆動回路４０は出力する。
【００５９】
ヒータ駆動回路４０には例えばインバータ回路が用いられる。コピーモードではヒータ駆動回路４０はリレースイッチ部７０（スイッチ）内の励磁コイルからＤＣ電圧を印加される。節電モードではヒータ駆動回路４０はＤＣ電圧を遮断される。
【００６０】
主制御部６からの指令によって、節電モードではヒータ駆動回路４０はヒータ２７への電力を止める。ヒータ駆動回路４０は通常のレディモードではヒータ２７へ例えば７００Ｗの電力を加え、コピーモードではヒータ２７へ例えば９００Ｗの電力を加える。
【００６１】
制御ドライバ２４ｃはヒータ駆動回路４０に対してコピーモード、スタンバイのモード（レディモード、節電モード等）などのモードに応じた電力レベルを示す制御信号を出力する。
【００６２】
制御ドライバ２４ｃはリレースイッチ部７０を経由して商用ＡＣ電源４１（商用電源）からの電力を供給される第２制御回路である。
【００６３】
ヒータ駆動回路４０は制御ドライバ２４ｃにより７００Ｗ、９００Ｗなどの電力レベルを設定される。制御ドライバ２４ｃにはＬＳＩ（Ｌａｒｇｅ Ｓｃａｌｅ Ｉｎｔｅｇｒａｔｉｏｎ）が用いられる。
【００６４】
インターフェース部２４ｄにはフォトカプラが用いられる。フォトカプラは、それぞれがフォトダイオード及びフォトトランジスタを有する２つの図示しない光電変換回路を備える。
【００６５】
第１の光電変換回路のフォトダイオードは主制御部６からの信号を光変調する。フォトトランジスタは信号を復調し、信号を制御ドライバ２４ｃへ伝達する。逆に制御ドライバ２４ｃから主制御部６への第２の光電変換回路についても同様である。
【００６６】
図１において排紙ローラ２６はモータ５５により駆動される。モータ５５は例えば排出モータである。定着された後の用紙を排紙部２５へ導くための搬送路３２が定義される。
【００６７】
また、給紙部５はカセット３３ａ、３３ｂを備える。複数のローラ３４は用紙のピックアップ、用紙の分離、用紙搬送用である。レジストローラ３５はスキュー補正用、及び画像形成ステーション１４Ｙへの用紙の搬送用である。
【００６８】
ローラ３４及びレジストローラ３５はモータ５６により回される。モータ５６にはフィードモータあるいはメインモータが用いられる。
【００６９】
また、カラー複写機１はファン３７を有する。ファン３７は機体１ａ内部に設けられ機体１ａ内部の空気を機体１ａ外部へ排出する。カラー複写機１はファン３６、３７と異なる別の冷却ファンを設けてもよい。
【００７０】
ファン３６、３７は冷却ファンとしていずれも制御ドライバ２４ｃにより制御される。ファン３７、３７はいずれもコイル７０ａを介して電力を供給される。
【００７１】
ファン３６はファンモータ５７によって回される。ファンモータ５７は駆動基板２４上のモータドライバ２４ｆによって駆動される。ファン３７はファンモータ５８によって回される。ファンモータ５８は例えばメカコントローラ４５によって駆動される。
【００７２】
モータ５０、５１、５２、５３、５４、５５、５６及びファンモータ５７、５８は、複数のギア列及び複数のクラッチを用いて、駆動力を、回転されようとする対象へ伝達する。
【００７３】
電源部７について述べる。
【００７４】
電源部７は機体１ａ内のケース内に設けられる。電源部７からの電源が給電される先は、制御系、駆動系、高圧部品及びヒータ２７である。
【００７５】
制御系とは主制御部６のＣＰＵ３やメカコントローラ４５、モータ５０、５１、５２、５３、５４、５５、５６及びファンモータ５７、５８のモータドライバ等を指す。
【００７６】
駆動系とは各種のモータ５０、５１、５２、５３、５４、５５、５６及びファンモータ５７、５８と、ギア及びクラッチと、これらのモータの制御回路とを指す。
【００７７】
駆動系は、機体１ａに配置され、節電モード中に冷却のために動作することが必要な全てのファンのファンモータ、モータドライバを駆動する。排出された用紙を冷やすファンが排紙部２５に設けられることがあり、このファンも駆動系に含まれる。
【００７８】
また、駆動系は機体１ａの本体カバーの開閉を検知する機能も持つ。リレースイッチ部７０は、機体１ａの本体カバーの開閉に連動する。本体カバーが開いたときに人に対する危険が生じないようにリレースイッチ部７０は駆動系の動作を停止させる。
【００７９】
高圧部品とは現像器１８、帯電器１７及び転写器のチャージャ等を指す。
【００８０】
電源部７は、整流回路３８、低圧電源部８、高圧電源部３９、蓄電部９、蓄電量監視部４３（監視部）、切替スイッチ部１０（経路切替部）を有する。
【００８１】
整流回路３８は商用ＡＣ（Ａｌｔｅｒｎａｔｉｖｅ Ｃｕｒｒｅｎｔ）電源４１（商用電源）からのＡＣ電圧を整流しＤＣ（Ｄｉｒｅｃｔ Ｃｕｒｒｅｎｔ）電圧を出力する。整流回路３８はパワートランジスタ、キャパシタ等からなる。
【００８２】
低圧電源部８は、各電子回路への電力を供給する回路用電源と、モータ５０、５１、５２、５３、５４、５５、５６及びファンモータ５７、５８へ電力を供給するモータ用電源とを生成しこれらを出力する。
【００８３】
回路用電源とは例えば５Ｖ、３．３Ｖ、±１２Ｖを指す。モータ用電源とは例えば２４Ｖを指す。
【００８４】
図３は低圧電源部８の構成例を示す図である。同図には低圧電源部８のほかに電源部７の一部も示される。既述の符号はそれらと同じ要素を表す。
【００８５】
低圧電源部８は、制御用ＡＣ／ＤＣ変換回路６０ａ（第１の電力系）と、駆動用ＡＣ／ＤＣ変換回路６０ｂ（第２の電力系）とを備える。
【００８６】
制御用ＡＣ／ＤＣ変換回路６０ａは、スイッチング素子６１、スイッチングパルス生成回路６２、トランス６３、整流／安定化回路（整流及び安定化回路）６４、６５を備える。
【００８７】
スイッチング素子６１にはＦＥＴ（Ｆｉｅｌｄ−Ｅｆｆｅｃｔ Ｔｒａｎｓｉｓｔｏｒ）が用いられる。スイッチングパルス生成回路６２はスイッチング周波数のスイッチングパルスを生成する。
【００８８】
スイッチング素子６１がスイッチング周波数に応じてオンオフ動作することにより、整流回路３８からのＤＣ電圧をパルス状のＡＣ電圧に変換する。
【００８９】
トランス６３はＡＣ電圧を変換して異なるＡＣ電圧を出力する。整流／安定化回路６４、６５は、パルス状のＡＣ電圧を、ＤＣ電圧に変換する。そうして得られた直流電源は、電子回路等に供給される。
【００９０】
駆動用ＡＣ／ＤＣ変換回路６０ｂは、スイッチング素子６６、スイッチングパルス生成回路６７、トランス６８、整流／安定化回路６９を備える。
【００９１】
スイッチング素子６６はスイッチングパルス生成回路６７によりオンオフ動作する。スイッチング素子６６は、整流回路３８からのＤＣ電圧をパルス状のＡＣ電圧に変換する。
【００９２】
トランス６８はＡＣ電圧を変換して異なるＡＣ電圧を出力する。整流／安定化回路６９は、パルス状のＡＣ電圧を約２４ＶのＤＣ電圧に変換する。そうして得られた直流電源は各種モータへ供給される。
【００９３】
スイッチングパルス生成回路６２、６７は発振回路である。
【００９４】
図１に戻り、高圧電源部３９は現像器１８、帯電器１７及び転写器のチャージャに高電圧を供給する。高電圧とは数百〜数ｋＶの電圧を指す。
【００９５】
高圧電源部３９にはＤＣ／ＤＣコンバータ（ＤＣ ｔｏ ＤＣコンバータ）が用いられる。高圧電源部３９は、低圧電源部８内の制御用ＡＣ／ＤＣ変換回路６０ａ、駆動用ＡＣ／ＤＣ変換回路６０ｂのいずれかよりＤＣ電圧を供給され、各チャージャへの高電圧を生成する。
【００９６】
蓄電部９は充放電可能な電池であり、電気二重層キャパシタが用いられる。
【００９７】
電気二重層とは、固体と液体など二つの異なる相が接触すると、その境界面にプラスとマイナスの電荷が分子レベルの距離を隔てて存在する状態を指す。電気二重層キャパシタは電気二重層を誘電体として機能させるキャパシタである。
【００９８】
図４（ａ）乃至図４（ｃ）は蓄電部９の構成例を示す図である。同図には蓄電部９に電気二重層キャパシタが用いられた例が示される。蓄電部９は複数のキャパシタセル４２が接続されて構成される。
【００９９】
キャパシタセル４２は、内部抵抗が小さい、短時間で充放電が可能、及び端子電圧が低いことを特徴とする。
【０１００】
図４（ａ）に示すように、蓄電部９は、それぞれ３つのキャパシタセル４２が直列に接続されて成る２つの電池が並列に接続されて構成される。キャパシタセル４２の電圧を１Ｖとした場合、蓄電部９の出力電圧は３Ｖである。複数個のキャパシタセル４２は一つのキャパシタブロックを構成する。
【０１０１】
又は図４（ｂ）に示すように、蓄電部９は、それぞれ２つのキャパシタセル４２が直列に接続されて成る３つの電池が並列に接続されて構成されてもよい。この場合、蓄電部９の出力電圧は２Ｖである。
【０１０２】
又は図４（ｃ）に示すように、蓄電部９は、それぞれ１つのキャパシタセル４２が直列に接続されて成る６つの電池が並列に接続されて構成されてもよい。この場合、蓄電部９の出力電圧は１Ｖである。
【０１０３】
図１の蓄電量監視部４３は蓄電部９の残りの電力量を監視する。
【０１０４】
蓄電デバイス９ａ（図５）が電気二重層キャパシタのような大容量のキャパシタである場合、蓄電量監視部４３は、蓄電デバイス９ａの端子電圧を測定する。端子電圧を測定する事により、蓄電部９の蓄電量を検知することを、蓄電量監視部４３は可能にされている。
【０１０５】
蓄電量監視部４３は蓄電部９に蓄電された蓄電量を示す情報を出力する。情報とはＣＰＵ３が読込み可能な蓄電量信号を指す。
【０１０６】
また、蓄電デバイス９ａは充放電可能なリチウムイオン二次電池を用いてもよい。蓄電部９は、複数のリチウムイオン二次電池が直列に及び並列に接続されて成る組電池を用いる。リチウムイオン二次電池はエネルギー密度が高いことを特徴とする。
【０１０７】
蓄電デバイス９ａがリチウムイオン二次電池の組電池である場合、蓄電量監視部４３は、クーロンカウンタ等により充電量及び放電量を監視する。
【０１０８】
切替スイッチ部（切替ＳＷ部）１０は主制御部６からの制御信号により低圧電源部８及び蓄電部９のいずれか一方からの電力を、駆動系に対して供給する。切替スイッチ部１０には例えばリレースイッチが用いられる。
【０１０９】
切替スイッチ部１０は経路切替部である。切替スイッチ部１０は、省電力モードでは、ファン３６等に対する駆動用ＡＣ／ＤＣ変換回路６０ｂからの電力を遮断し、蓄電部９からファン３６等への電力を供給するよう電力の供給経路を切替える。
【０１１０】
切替スイッチ部１０は、オンオフを駆動される端子と、二次側回路に接続された接点ｑと、低圧電源部８に接続された第１の接点ｒと、蓄電部９に接続された第２の接点ｓとを有する。二次側回路とは機体１ａ内の電子部品を指す。
【０１１１】
端子出力がオフのとき、切替スイッチ部１０は、接点ｒと接点ｑとを接続するとともに接点ｓをオープンにする。低圧電源部８からの電力が二次側回路に供給される。
【０１１２】
端子出力がオンのとき、切替スイッチ部１０は、接点ｓと接点ｑとを接続するとともに接点ｒをオープンにする。蓄電部９からの電力が二次側回路に供給される。
【０１１３】
端子出力がオフである間、切替スイッチ部１０は、接点ｑ、ｒ、ｓの状態を保持する。保持の力は機械的な力あるいは電磁力である。
【０１１４】
端子出力がオンからオフに切替わると、切替スイッチ部１０は、オン状態にある接点ｑ、ｒ、ｓを、オフ状態にある接点ｑ、ｒ、ｓに切替える。
【０１１５】
節電モードにおける省電力電源構成について図５を参照して述べる。
【０１１６】
図５は電力切替制御機能に焦点を合わせた機能ブロック図である。同図には電力供給ユニット７４（電源供給ユニット）が示される。電力供給ユニット７４は、マシンへ必要な電力を供給する。既述の符号はそれらと同じ要素を表す。
【０１１７】
駆動用ＡＣ／ＤＣ変換回路６０ｂの入力部には、リレースイッチ部７０（スイッチ）が設けられる。リレースイッチ部７０は本体カバーのオープン／クローズと連動し、駆動用ＡＣ／ＤＣ変換回路６０ｂへの商用ＡＣ電源４１からの電力を切断／投入する。
【０１１８】
リレースイッチ部７０は、本体カバーが閉じる最中、制御ドライバ２４ｃへＤＣ電圧を供給する。リレースイッチ部７０には電磁コイル付きのＡＣリレーが用いられる。リレースイッチ部７０はコイル７０ａ及びスイッチ７０ｂを有する。
【０１１９】
コイル７０ａは励磁コイルである。コイル７０ａの端子７２は、本体カバー裏面に設けられた開閉スイッチに接続される。
【０１２０】
コイル７０ａは第２の電力系としても機能する。コイル７０ａは商用ＡＣデータ４１から供給される電力を、カラー複写機１に設けられる駆動系へ供給する。
【０１２１】
スイッチ７０ｂはＡＣリレーである。スイッチ７０ｂはコイル７０ａから電力を与えられると回路を開き、電力が与えられないと回路を閉じる。回路とは、商用ＡＣ電源４１と、低圧電源部８内の駆動用ＡＣ／ＤＣ変換回路６０ｂとの接続点を指す。
【０１２２】
本体カバーが閉じると、コイル７０ａはオンにされる。コイル７０ａは制御ドライバ２４ｃへ、ＡＣ成分を除去して得られたＤＣ電流を送る。コイル７０ａは、ＡＣ電流の電磁力によりスイッチ７０ｂを開く。商用ＡＣ電源４１を変換して得られたＤＣ電力が二次側回路、即ち、低圧電源部８の出力側回路へ供給される。
【０１２３】
本体カバーが開くと、コイル７０ａはオフにされる。商用ＡＣ電源４１は二次側回路へ供給されない。コイル７０ａはスイッチ７０ｂを解除し、スイッチ７０ｂを閉じる。商用ＡＣ電源４１を変換されたＤＣ電力が二次側回路へ供給される。
【０１２４】
図５において電力供給ユニット７４は、商用ＡＣ電源４１から供給された電力を、低圧電源部８内で、制御系への電力と駆動系への電力との２系統に分ける。制御系の二次側には制御回路部７１が構成される。
【０１２５】
制御回路部７１は、ＣＰＵ３（第１制御回路）に、制御ドライバ２４ｃを介してモータドライバ２４ｆへの電力供給を遮断させる。節電モードで電力の供給を切断されるべき部品が、切断されるように構成されている。
【０１２６】
制御回路部７１は、コイル７０ａに接続された制御ドライバ２４ｃと、温度検知回路２４ａと、ＣＰＵ３とを備える。制御回路部７１はインターフェース部２４ｄを含む。
【０１２７】
制御用ＡＣ／ＤＣ変換回路６０ａには、制御を司るＣＰＵ３、制御ドライバ２４ｃ、及び温度監視等のセンサが接続されている。
【０１２８】
また、駆動系には、モータ５４のモータドライバ２４ｅや、ファンモータ５７のモータドライバ２４ｆ等の負荷が接続されている。電力供給ユニット７４は、この駆動系の入力部にリレースイッチ部７０を配置する。
【０１２９】
リレースイッチ部７０は、駆動用ＡＣ／ＤＣ変換回路６０ｂでの消費電力のロスを減らす為、ＡＣ成分の供給を遮断する事を可能にされている。
【０１３０】
また、低圧電源部８の駆動用ＡＣ／ＤＣ変換回路６０ｂは蓄電部９を枝分けする。電力供給ユニット７４は、蓄電量監視部４３を駆動用ＡＣ／ＤＣ変換回路６０ｂ、蓄電部９の間に設ける。
【０１３１】
蓄電部９は、プラス、マイナスの２つの電極を露出させた蓄電デバイス９ａと、蓄電デバイス９ａを充電し放電する充放電部９ｂとを備える。
【０１３２】
蓄電デバイス９ａが電気を蓄積する容量は高い。充放電部９ｂは充電をオン／オフし、放電をオン／オフする。充放電部９ｂは、充電用のＤＣ／ＤＣコンバータと、放電用の抵抗器とを有する。
【０１３３】
電力供給ユニット７４は、切替スイッチ部１０により、低圧電源部８からファンモータ５７へ電力を供給すること、及び蓄電部９からファンモータ５７へ電力を供給することを切替える。
【０１３４】
蓄電部９は、コピーモードの最中、駆動用ＡＣ／ＤＣ変換回路６０ｂの電力によって充電される。
【０１３５】
上述の構成を持つカラー複写機１（図１）の整流回路３８に商用ＡＣ電源４１が投入されると、主制御部６は、定着器２３の温度を定着可能温度に到達させる。
【０１３６】
カラー複写機１の動作モードは、コピーモード、レディモード、節電モード、及びスリープモードを含む。コピーモードは、通常の消費電力でカラー複写機１が動作する通常モードである。
【０１３７】
レディモード、節電モード及びスリープモードはいずれも省電力モードである。省電力モードとは、通常モードでの消費電力よりも低い電力でカラー複写機１が動作するモードを指す。
【０１３８】
カラー複写機１に原稿が差入れられると、主制御部６は、レーザ露光装置２２に、画像データの強度に応じたレーザ光を生成させる。
【０１３９】
画像形成ステーション１４Ｙでは、感光体ドラム１６が矢印方向に回転され、帯電器１７により−７００Ｖ程度に一様に帯電される。
【０１４０】
レーザ露光装置２２は、スキャナ部２が読取った画像情報によって変調されたレーザ光を感光体ドラム１６に照射する。感光体ドラム１６は、ドラム面上に、静電潜像を形成される。
【０１４１】
現像器１８は、−５００Ｖ程度のバイアスを加えられる。感光体ドラム１６は現像器１８によりトナーを供給される。感光体ドラム１６はドラム面上にトナー像を形成される。
【０１４２】
ベルト１３のベルト外周面上、感光体ドラム１６と対向する転写位置に転写ローラ１９は＋１０００Ｖ程度のバイアスを加える。トナー像は、転写位置にて、ベルト１３上を搬送される用紙上に転写される。
【０１４３】
トナー像の転写が終了した後、クリーナ２０は感光体ドラム１６上の残留トナーをクリーニングする。除電器２１は感光体ドラム１６表面を除電する。
【０１４４】
マゼンタ、シアン、ブラックのトナー像は、それぞれの転写位置にて、イエロのトナー像を形成された用紙に順次転写される。カラートナー像を形成された用紙は定着器２３のニップへ送られる。
【０１４５】
プレスローラ２９はヒートローラ２８と一緒に用紙を加熱し加圧、定着させる。用紙上でフルカラー画像が完成する。排紙部２５に用紙が排出される。
【０１４６】
続いて、主制御部６から定着器２３に対する処理について述べる。
【０１４７】
図５の構成のカラー複写機１は、通常の印刷動作の際、制御回路部７１と、モータドライバ２４ｅ、２４ｆ等とに対して低圧電源部８から電力を供給させる。モータ５４やファンモータ５７は、低圧電源部８の駆動用ＡＣ／ＤＣ変換回路６０ｂ出力を電力源として動作する。
【０１４８】
節電モードにマシンが移行する前に、先ず始めに蓄電量監視部４３は蓄電部９の電力量を検知する。この検知結果を蓄電量監視部４３は本体ＣＰＵ３に通知する。
【０１４９】
ＣＰＵ３は温度センサ３０の出力値（温度）から、ファン３６を駆動させる時間に必要な電力量を算出する。ＲＯＭ４６は温度から電力量を計算するためのプログラムを保持する。プログラムは算出処理をＣＰＵ３に実行させる。もしくはメモリには温度と電力量との対応関係が予め記憶される。ＣＰＵ３は対応関係をメモリから抽出する。
【０１５０】
ＣＰＵ３は算出もしくは抽出した電力量と、蓄電部９の電力量とを比較する。蓄電部９に十分な電力量が蓄積されている場合、ＣＰＵ３は、駆動系への電力給電の元を、低圧電源部８から蓄電部９へ切替える。冷却用のファン３６等の電力をＣＰＵ３は供給し、ファンモータ５７等を駆動させる。
【０１５１】
例えば設定時間の経過によりカラー複写機１は節電モードに入る。
【０１５２】
節電モードにおいて、ＣＰＵ３はパワーオフ信号をリレースイッチ部７０へ入力する。商用ＡＣ電源４１からリレースイッチ部７０への電力を、ＣＰＵ３が遮断する。駆動系の一次側回路の動作が節電モードでは止められる。
【０１５３】
コイル７０ａへの端子７２からのＡＣ電流が遮断されることにより、オープン状態にあるスイッチ７０ｂは回路を閉じる。駆動用ＡＣ／ＤＣ変換回路６０ｂは商用ＡＣ電源４１からのＡＣ電流を変換し、変換されたＤＣ電流を二次側回路へ供給する。
【０１５４】
また、コイル７０ａへのＡＣ電流の遮断により、制御ドライバ２４ｃ及び温度検知回路２４ａの動作はいずれも停止する。
【０１５５】
また、コイル７０ａへのＡＣ電流の遮断と連動してＣＰＵ３は、切替スイッチ部１０をオンに切替える。蓄電部９からの電力が、モータドライバ２４ｆ及びファンモータ５７に給電される。モータドライバ２４ｅ及びモータ５４へは蓄電部９が電力を供給する。
【０１５６】
節電モードにおいて回転させることが必要なファン、例えばドラム、帯電器、減衰器といったプロセス系部品を冷却するファンや、排出された用紙を冷やすファンに対して、蓄電部９は電力を供給してもよい。
【０１５７】
このように、カラー複写機１が節電モードに入った後、駆動系への電力の給電の元は、低圧電源部８から蓄電部９に切替わる。蓄積された電力が、モータ５４、ファンモータ５７、モータドライバ２４ｅ、モータドライバ２４ｆ等を駆動させる事が可能となる。
【０１５８】
図６は従来例に係るカラー複写機の電源構成の要部を示す図である。従来例に係るカラー複写機５００が節電モードにおいて動作するモータの種別は、カラー複写機１が節電モードにおいて動作するモータの種別と同じであるとする。
【０１５９】
７３はインターロックスイッチを表す。８ａは低圧電源部を表す。これ以外の同図に示す符号は、上述したカラー複写機１内の要素に対応した符号である。
【０１６０】
従来、冷却のファン３６を用いる場合、温度センサを定着器に配置しておき、センサ出力がある所定の温度以下になったら、制御部はファンモータ５７の動作を停止させる。
【０１６１】
カラー複写機５００は、節電モードにおいて、低圧電源部８ａのみを用いて電力を賄う。これに対し、カラー複写機１は、節電モードにおいて、蓄電部９からの電力によりモータ５４及びファンモータ５７への電力を賄う。
【０１６２】
図５では、蓄電部９の電荷がなくなるまでファン３６を動作させる方式が採られている。
【０１６３】
これにより、節電モードにおいて常に温度を検知する温度センサ３０及び温度検知回路２４ａへ通電することはカラー複写機１にとって不要になり、制御系の回路での電力削減も可能となる。
【０１６４】
又、制御回路部７１のうち、制御ドライバ２４ｃ及び温度検知回路２４ａは節電モードにおいて不要である。動作することが無い制御ドライバ２４ｃ及び温度検知回路２４ａへのそれぞれの通電と、画像形成ユニット１２内のモータ類の各種モータドライバへの通電とを遮断することにより、低圧電源部８が温度検出に要する負荷を減らすことができる。一次側消費電力の削減が可能となる。
【０１６５】
これにより、図５の破線により囲まれたエリア（Ａ）内の回路への電力の供給を停止することにより、節電モードにおける消費電力を低減させることが可能となる。節電モードでのカラー複写機１のエネルギー消費を改善することができる。
【０１６６】
節電モードにおいて、定着器２３とは別の部品の消費電力を減らすことができる。エナジースター等の省エネ規格を十分満たす。
【０１６７】
（第１の実施形態の変形例）
図５の例は、蓄電部９の蓄電量がフルに充電されていると仮定した例である。一方、十分な蓄電量が蓄電部９に蓄積されて無い場合もある。
【０１６８】
モードを節電モードに移行させる前に、ＣＰＵ３は温度センサ３０から検知温度を取得する。ＣＰＵ３は算出もしくは抽出した電力量と、蓄電部９の蓄電量とを比較する。
【０１６９】
冷却されるべき電力量に比べて十分な蓄電量が蓄電部９に無い場合、ＣＰＵ３は、切替スイッチ部１０による切替を所定時間保留する。ＣＰＵ３は、残された蓄電量を使って、ヒータ２７の温度を目標温度にまで冷ますことが可能となる時点が到来するまで、切替を保留する。
【０１７０】
また、ＣＰＵ３は残りの蓄電量を使い尽くことによってファンモータ５７を駆動させ続けることが可能な時間を推定する。
【０１７１】
ＣＰＵ３は温度検知回路２４ａを動作させたままにする。ＣＰＵ３は温度検知回路２４ａの出力を監視し続ける。
【０１７２】
温度センサ３０の検知温度と残りの蓄電量とを比べることによって、現時点でのヒータ２７の温度から目標温度までヒータ２７の温度を下げることが可能であるかどうかをＣＰＵ３は判定する。複数の時点でＣＰＵ３は判定処理を実行する。
【０１７３】
ＣＰＵ３は時点が到来するまで、低圧電源部８からの電力を、モータドライバ２４ｆ、ファンモータ５７等に供給し、ファン３６を動作させる。
【０１７４】
その後、目標温度までヒータ２７の温度を下げることが十分可能である時点が到来したことをＣＰＵ３は検出する。
【０１７５】
時点で、ＣＰＵ３は、電力の供給元を、低圧電源部８から蓄電部９に切替える。切替とともに低圧電源部８の出力は止まる。
【０１７６】
時点における残りの蓄電量によってファンモータ５７は駆動を始める。残された蓄電量が使い尽くされるまでファン３６は動作する。
【０１７７】
第１の実施形態で提案するカラー複写機１は、駆動系回路部に蓄電デバイス９ａに接続された回路（切替スイッチ部１０）を構成し、蓄電デバイス９ａから供給された電力によりファン３６を動作させ、低圧電源部８からのファン３６への給電を遮断する。
【０１７８】
節電モードでの従来例とカラー複写機１とを比べると、カラー複写機５００は駆動用ＡＣ／ＤＣ変換回路６０ｂからファン３６へ電力を供給していたが、今回提案したカラー複写機１はこの電力を蓄電デバイス９ａから供給するよう給電元を切替えてファン３６等を動作させる。
【０１７９】
駆動用ＡＣ／ＤＣ変換回路６０ｂをスイッチ７０ａ等により遮断することにより、駆動系回路内での消費電力のロスを解消でき、結果として一次側回路の消費電力を低減させることが可能となる。
【０１８０】
また、節電モードに移行した際、制御回路部７１は主制御部６による温度検知なしで、蓄電デバイス９ａの放電によりファン３６を停止させるという構成を採ることで、温度検知回路２４ａや温度センサ３０への給電を停止する事が可能となり、消費電力を削減できる。
【０１８１】
（第２の実施形態）
第１の実施形態において、冷却されるべき電力量に比べて蓄電部９の蓄電量が十分大きい場合がある。例えば１０分間ファン３６を回す蓄電量を蓄電部９が有する場合、全てのファンが例えば３分間回り続けるだけでヒータ２７を冷却可能であることがある。しかし、７分間、全てのファンを駆動することは電力の無駄である。
【０１８２】
本発明の第２の実施形態に係る画像形成装置は、蓄電部９の電力を、複数の電力に分割し、そうして分割した電力を使う。画像形成装置は、冷却されるべき電力量に応じた蓄電量を決定し、決定した蓄電デバイスを動作させて、ファンモータを冷却する。
【０１８３】
本実施形態に係る画像形成装置もカラー複写機であり、図１の２００はこのカラー複写機を示す。
【０１８４】
カラー複写機２００は、機体１ａ、スキャナ部２、画像処理部４４、プリンタ部４、給紙部５、主制御部２０１、電源部２０２を備える。
【０１８５】
カラー複写機２００において、機体１ａ、スキャナ部２、画像処理部４４、プリンタ部４、給紙部５はいずれも第１の実施形態の例と実質同じである。
【０１８６】
電源部２０２は蓄電部９と異なる別の蓄電部２０３を有する。蓄電部２０３は電気二重層キャパシタを用いる。蓄電部２０３は複数個のキャパシタブロックを有する。
【０１８７】
図７は本実施形態に係る画像形成装置に用いられる電力切替制御機能に焦点を合わせた機能ブロック図である。既述の符号はそれらと同じ要素を表す。
【０１８８】
ＣＰＵ３は第１制御回路として機能する。
【０１８９】
電力供給ユニット２０４は、ＣＰＵ３に、制御ドライバ２４ｃを介してモータドライバ２４ｆへの電力供給を遮断させる。電力供給ユニット２０４は省電力構成の電源を有しカラー複写機２００に設けられる。
【０１９０】
破線により囲まれるエリア（Ａ）は節電モードにおいて低圧電源部８からの電力の供給をオフにされるエリアを示す。
【０１９１】
蓄電部２０３は、充放電部９ｂと、放電スイッチ部２０７と、蓄電デバイス２０８とを有する。
【０１９２】
放電スイッチ部２０７は複数のスイッチング素子２０９（ＳＷ−１、…、ＳＷ−ｎ）を有する（ｎは自然数を表す）。スイッチング素子２０９はいずれもＣＰＵ３によってオンオフ駆動される。各スイッチング素子２０９にはＩＧＢＴ（Ｉｎｓｕｌａｔｅｄ Ｇａｔｅ Ｂｉｐｏｌａｒ Ｔｒａｎｓｉｓｔｏｒ）等が用いられる。
【０１９３】
蓄電デバイス２０８は複数のキャパシタブロック２１０（Ｃ−１、Ｃ−２、…、Ｃ−ｎ）を有する。各キャパシタブロック２１０は複数のキャパシタセル４２（図４（ａ）〜図４（ｃ）参照）からなる。
【０１９４】
一つのスイッチング素子２０９は、充放電部９ｂと、１つのキャパシタブロック２１０との間に設けられる。
【０１９５】
スイッチング素子２０９は、キャパシタブロック２１０から充放電部９ｂへの電力の供給をＣＰＵ３から指令されるまでの間、オフ状態にある。オフ状態ではスイッチング素子２０９はキャパシタブロック２１０、充放電部９ｂを開く。キャパシタブロック２１０はオープンにされたままの状態にある。
【０１９６】
スイッチング素子２０９は、キャパシタブロック２１０から充放電部９ｂへの電力の供給を指令された後、オン状態になる。オン状態ではスイッチング素子２０９はキャパシタブロック２１０、充放電部９ｂを閉じる。キャパシタブロック２１０は、充放電部９ｂを負荷として放電する。
【０１９７】
このスイッチング素子２０９と、他の全てのスイッチング素子２０９は同じである。各スイッチング素子２０９は互いに並列に設けられる。
【０１９８】
蓄電部２０３は、コピーモードの最中、駆動用ＡＣ／ＤＣ変換回路６０ｂの電力によって充電される。
【０１９９】
図１、図７に示されるように、電力供給ユニット２０４は、商用ＡＣ電源４１から供給された電力を、低圧電源部８内で、制御系への電力と駆動系への電力との２系統に分ける。制御系の二次側には制御回路部２０６が構成される。
【０２００】
ＲＯＭ４６は２種類のテーブル（ルックアップテーブル）５９ａ、５９ｂを記憶する。テーブル５９ａ、５９ｂはＲＯＭ４６に予め生成される。ＣＰＵ３は温度センサ３０からの検知温度からテーブル５９ａ、５９ｂを参照し、テーブルデータを用いて冷却時間を推定する。
【０２０１】
低圧電源部８の駆動用ＡＣ／ＤＣ変換回路６０ｂに蓄電部２０３が接続される。
【０２０２】
電力供給ユニット２０４は、蓄電部２０３に、充電し及び放電する充放電部９ｂを配置する。電力供給ユニット２０４は、各キャパシタブロック２１０にそれぞれスイッチング素子２０９を配置する。キャパシタブロック２１０毎に充放電の設定が可能とされる。各スイッチング素子２０９のオン／オフをＣＰＵ３が司る。
【０２０３】
又、電力供給ユニット２０４は、蓄電部２０３の入出力端子部に蓄電量監視部４３を設ける。蓄電量監視部４３は、蓄電部２０３全体の充電量及び放電量を検知し、蓄電部２０３の出力端子の電圧を検知する。
【０２０４】
量、電圧を検知する事で、電力供給ユニット２０４は、常に蓄電量を監視する事を可能にされている。蓄電量監視部４３とＣＰＵ３との間の通信により、検知結果を蓄電量監視部４３はＣＰＵ３に通知する。通信により、ＣＰＵ３は蓄電量の結果を把握する事が可能にされている。
【０２０５】
さらに、電力供給ユニット２０４は、蓄電部２０３と低圧電源部８との間に切替スイッチ部１０を配置する。電力供給ユニット２０４は、低圧電源部８からファンモータ５７へ電力を供給すること、及び蓄電部２０３からファンモータ５７へ電力を供給することを切替える。
【０２０６】
節電モードにおいてＣＰＵ３による冷却に要する時間の推定演算と、蓄電部２０３の放電すべき電力の量の決定演算とについて図８Ａ、図８Ｂを参照して述べる。
【０２０７】
図８Ａは温度と冷却時間との特性を示す線図である。横軸は冷却に要する時間（ｈ）を表す。温度の単位は摂氏であるが華氏でもよい。温度ＴＰｎ、ＴＰ２、ＴＰ１は、いずれも、マシンが節電モードに入る直前に温度センサ３０が検知した温度を表す。温度ＴＰ−ｓｎはマシンの目標温度である。
【０２０８】
図８Ａには、温度ＴＰｎにあるマシンを、目標温度ＴＰ−ｓｎに下げるために要する時間がｔｎであるという関係が示されている。例えば温度ＴＰ１から目標温度ＴＰ−ｓｎへマシン温度を下げることに、時間ｔ１を要するという関係が予め第１のテーブル５９ａに書込まれる。
【０２０９】
検知温度の複数の範囲を設定しておき、テーブル５９ａは、冷却時間を検知温度範囲毎に対応させた関係を記憶する。冷却時間とはファンモータ５７の駆動時間を指す。
【０２１０】
図８Ａのように、テーブル５９ａは、３種類の冷却時間ｔ１、ｔ２、ｔｎを記憶する。テーブル５９ａは、ｔ１、ｔ２、ｔｎについてそれぞれ検知温度範囲ｒ１、ｒ２、ｒ３を記憶する。検知温度の値から、ＣＰＵ３はｒ１、ｒ２、ｒ３を選択し、ｔ１、ｔ２、ｔｎのうちのいずれかをＣＰＵ３は決定する。
【０２１１】
テーブル５９ａを参照することによって、検知温度がＴＰ２からＴＰｎの範囲ｒ３内である場合、ＣＰＵ３は冷却時間をｔｎに決定する。ｔｎの間、ＣＰＵ３はファンモータ５７を駆動する。ｔｎの間、ＣＰＵ３は温度センサ３０からの検知温度を使うことなく駆動を続ける。
【０２１２】
検知温度がＴＰ１からＴＰ２の範囲ｒ２である場合、ＣＰＵ３は冷却時間をｔ２に決定する。検知温度がＴＰ−ｓｎからＴＰ１の範囲ｒ１である場合、ＣＰＵ３は冷却時間をｔ１に決定する。
【０２１３】
温度ｔ１、ｔ２及び目標温度ＴＰ−ｓｎの各値は、ファン風の量から予め決められる。実験やテストを通じて各値は決められる。
【０２１４】
あるいは、テーブル５９ａは、冷却時間（秒）を検知温度１℃毎に対応させた関係を記憶することもできる。
【０２１５】
図８Ｂに第２のテーブル５９ｂに記憶される特性を示す。図８Ｂは蓄電量と放電時間との特性を示す線図である。横軸は放電しきるために要する時間（ｈ）を表す。時間（ｈ）は図８Ａの時間（ｈ）と同じである。縦軸は蓄電量（Ｆ）を表す。
【０２１６】
以降、各キャパシタブロック２１０をそれぞれキャパシタブロックＣ−１、Ｃ−２、…、Ｃ−ｎと呼ぶことがある。
【０２１７】
蓄電量Ｃａｐ−１、Ｃａｐ−２、…、Ｃａｐ−ｎはそれぞれキャパシタブロックＣ−１、Ｃ−２、…、Ｃ−ｎのチャージ量を表す。チャージ量とは一キャパシタブロックを放電しきるために必要な時間を指す。
【０２１８】
各キャパシタブロックＣ−１、Ｃ−２、…、Ｃ−ｎがそれぞれ含むキャパシタセル４２の個数は同じでもよく、異なっていてもよい。
【０２１９】
例えばキャパシタブロックＣ−１を放電しきるために時間ｔ１を要すること、及びキャパシタブロックＣ−２を放電しきるために時間ｔ２を要することという関係が予めテーブル５９ｂに書込まれる。
【０２２０】
蓄電量の複数の範囲を設定しておき、テーブル５９ｂは、蓄電量を冷却時間範囲毎に対応させた関係を記憶する。テーブル５９ｂは、３種類の冷却時間ｔ１、ｔ２、ｔｎについてそれぞれ蓄電量Ｃａｐ−１、Ｃａｐ−２、Ｃａｐ−ｎを記憶する。
【０２２１】
あるいは、テーブル５９ｂは、蓄電量（Ｆ）を冷却時間１（ｈ）毎に対応させた関係を記憶することができる。
【０２２２】
省電力モードでは、制御ドライバ２４ｃは、温度検知回路２４ａから出力される検知温度によってファン３６、３７の駆動を継続する時間（冷却ファン駆動時間）分の必要な電力量を算出する。
【０２２３】
制御ドライバ２４ｃは、蓄電量監視部４３の監視結果に応じて蓄電部２０３より電力を供給するために必要なキャパシタブロック２１０を指定し、指定したキャパシタブロック２１０に対してファン３６、３７への電力供給を指示する。
【０２２４】
その後、制御ドライバ２４ｃは、ファン３６、３７への電力の供給経路を切替スイッチ部１０に切替えさせる。
【０２２５】
上述の構成を持つカラー複写機２００の節電モードでの動作について図７、図８Ａ、図８Ｂ、図９を参照して述べる。
【０２２６】
カラー複写機２００は、通常の印刷動作の際、制御回路部２０６と駆動系とに対して低圧電源部８から電力を供給する。モータ５４、ファンモータ５７、５８はいずれも低圧電源部８の駆動系への出力を電力源として用いる。
【０２２７】
図９は節電モードでのＣＰＵ３による電源切替処理を説明するためのフローチャートである。蓄電部２０３の蓄電量がフルに充電されていると仮定した例が記述される。
【０２２８】
アクトＡ１において、印刷終了後、ＣＰＵ３はマシンモードをレディモードに移行する。アクトＡ２において、設定時間経過後、ＣＰＵ３は節電モードへの移行する前の設定を開始する。
【０２２９】
アクトＡ３において、ＣＰＵ３は冷却する対象の部品の温度を温度センサ３０を用いて検知する。
【０２３０】
アクトＡ４においては検知温度Ｔが、例えば第１の温度ＴＰ１と等しいか又はそれよりも低いかをＣＰＵ３は判定する。判定結果が肯定的である場合、Ｙｅｓルートを通り、アクトＡ５においてＣＰＵ３は冷却時間をｔ１に設定する。
【０２３１】
さらにアクトＡ６において、ＣＰＵ３は特性グラフ（図８Ｂ）の関係を使って、ファン３６を時間ｔ１動作させる為の電力量を推定し、電力量を蓄電デバイス２０８からの放電量Ｃａｐ-１として決定する。
【０２３２】
同時に、ＣＰＵ３は蓄電量監視部４３から通知されたその時点の蓄電量が、放電量Ｃａｐ-１を満たしていることを確認する。
【０２３３】
アクトＡ７において、この放電量を決定した後、ＣＰＵ３は各キャパシタブロック２１０に接続された複数のスイッチング素子（放電ＳＷ）２０９の全部又は一部を選択し、オンする。
【０２３４】
選択されるスイッチング素子２０９の数は放電量Ｃａｐ−１に見合う数である。１個又は複数個のスイッチング素子２０９を放電量Ｃａｐ−１に応じてＣＰＵ３は選択する。構成部品を細かく分けることにより、蓄電部２０３は必要な熱量に応じて十分な量の電荷を放電することが可能にされている。
【０２３５】
ＣＰＵ３は選択したスイッチング素子２０９をオンのままにする。ＣＰＵ３は選択しないスイッチング素子２０９をオフのままにする。これらの設定を実行した後、ＣＰＵ３はモードを節電モードに移行させる。
【０２３６】
アクトＡ８において、ＣＰＵ３は切替スイッチ部１０へ指令を送る。切替スイッチ部１０は、給電元を、低圧電源部８から蓄電部２０３に切替える。
【０２３７】
アクトＡ９において、蓄電部２０３からモータドライバ２４ｆ、ファンモータ５７へ電力が供給される。オン中のスイッチング素子２０９が放電し続ける事によりファン３７が回転し、ヒータ２７はファン風によって冷却される。
【０２３８】
温度はある瞬間にて目標温度（ＴＰ−ｓｎ）よりも下がる。瞬間よりも所定時間が経過した後に、蓄電量は０となる。所定時間とは、定着器２３の温度が下がり過ぎないように熱計算等により予め決められた設定時間である。自然に放電が完了し、回転動作が停止する。
【０２３９】
アクトＡ１０において、ＣＰＵ３は節電モードを維持する。
【０２４０】
また、アクトＡ４において、検知温度Ｔが第１の温度ＴＰ１よりも高い場合、Ｎｏルートを通り、アクトＡ１１において、ＣＰＵ３は検知温度Ｔが第２の温度ＴＰ２よりも低いかどうかを判定する。
【０２４１】
判定結果が肯定的である場合、Ｙｅｓルートを通り、アクトＡ１２においてＣＰＵ３は冷却時間をｔ２に設定する。アクトＡ１３において、ＣＰＵ３は特性グラフを使って、ファン３６を時間ｔ２動作させる為の電力量を推定し、蓄電デバイス２０８からの放電量Ｃａｐ-２を決定する。
【０２４２】
アクトＡ１４において、ＣＰＵ３は各キャパシタブロック２１０に接続された複数のスイッチング素子２０９の全部又は一部を選択し、オンする。引き続きアクトＡ８の処理をＣＰＵ３は実行する。
【０２４３】
また、アクトＡ１１において、検知温度Ｔが第１の温度ＴＰ２よりも高い場合、Ｎｏルートを通り、アクトＡ１５において、ＣＰＵ３は検知温度Ｔが温度ＴＰｎよりも低いと判断する。
【０２４４】
アクトＡ１６においてＣＰＵ３は冷却時間をｔｎに設定する。アクトＡ１７において、ＣＰＵ３は特性グラフを使って、ファン３６を時間ｔｎ動作させる為の電力量を推定し、蓄電デバイス２０８からの放電量Ｃａｐ−ｎを決定する。
【０２４５】
アクトＡ１８において、ＣＰＵ３は各キャパシタブロック２１０に接続された複数のスイッチング素子２０９の全部又は一部を選択し、オンする。引き続きアクトＡ８の処理をＣＰＵ３は実行する。
【０２４６】
従来例に係るカラー複写機５００は、節電モード（又は予熱モード）にモードが移行した後も、常に温度を検知する為、各部の温度センサ及び各部の温度検出回路に通電する。
【０２４７】
第２の実施形態のカラー複写機２００は温度センサ３０及び温度検知回路２４ａへ通電する必要がない。制御側回路での電力削減も可能となる。
【０２４８】
図７に示す破線により囲まれるエリア（Ａ）への電力の供給を停止することができ、カラー複写機２００は節電モードにおける消費電力を減らすことが可能となる。カラー複写機２００のエネルギー消費量を改善することができる。
【０２４９】
さらに、モータドライバ２４ｆ、ファンモータ５７、ファン３６を動作させる時間長さを適切にする事ができることから、騒音の低減や機器を冷やし過ぎないなどの効果を得る事も可能となる。
【０２５０】
また、放電量は蓄積量と実質等価である。カラー複写機２００は２種類のテーブル５９ａ、５９ｂから読出した時間だけファンモータ５７を駆動するため、過剰な放電が生じない。放電の不足も生じない。定着器２３を過剰に冷却することが防がれる。
【０２５１】
冷却し過ぎによって再度ヒートする場合に要する電力の消費を抑えることができるようになる。次回に、蓄電部２０３を充電する時に、放電に使った分だけ充電すれば十分である。
【０２５２】
蓄電部２０３には、複数のリチウムイオン二次電池から成る組電池が用いられてもよい。リチウムイオン二次電池は単電池としての電池容量を持つ。放電量に見合った単電池個数をＣＰＵ３が算出し、蓄電部２０３を切替える。
【０２５３】
上記例では、第１のテーブル５９ａが検知温度と冷却時間とを対応付けし、第２のテーブル５９ｂが冷却時間と蓄電量とを対応付けていた。ＣＰＵ３は、検知温度と蓄電量とを対応付けた関係を保持する別の一つのテーブルを用いてもよい。
【０２５４】
（第２の実施形態の変形例）
蓄電部２０３の蓄電量が、冷却されるべき電力量に比べて十分でない場合、ＣＰＵ３は、残された蓄電量を使い尽くして、ヒータ２７の温度を目標温度にまで冷ますことが可能となる時点が到来するまで、切替スイッチ部１０による切替を保留する。
【０２５５】
図１０は節電モードでのＣＰＵ３による電源切替処理を説明するための別のフローチャートである。同図内で図９に示す符号と同じ符号を有するアクトはそれらと同じアクトを表す。
【０２５６】
ＣＰＵ３は温度を検知し（アクトＡ３）、検知温度Ｔが温度ＴＰ１と等しいか又はそれよりも低いかを判定する（アクトＡ４）。判定結果が肯定的である場合（Ｙｅｓルート）、ＣＰＵ３は冷却時間をｔ１に設定する（アクトＡ５）。
【０２５７】
次にＣＰＵ３は図８Ｂの関係を使って放電量Ｃａｐ−１を決定する（アクトＡ５０）。アクトＡ５０では、ＣＰＵ３は蓄電量監視部４３から、その時点での蓄電量を取得する。
【０２５８】
ＣＰＵ３は、蓄電量監視部４３が取得した残りの電荷量が放電量Ｃａｐ−１と同じかそれよりも大きいかどうかを判定する。
【０２５９】
残りの電荷量が不足している場合（Ｎｏルート）、アクトＡ５１において、ＣＰＵ３はモータドライバ２４ｆ、ファンモータ５７へ、低圧電源部８から電力を供給する。その後、アクトＡ３に進み、ＣＰＵ３は、常に温度を監視する状態に入る。
【０２６０】
ＣＰＵ３は蓄電部２０３単独でモータドライバ２４ｆ、ファンモータ５７等の電力を賄うことが可能な温度まで検知温度Ｔが下がるまでの間、温度を監視する。
【０２６１】
この間、検知温度及びテーブル５９ａ、５９ｂにより残りの電荷量をＣＰＵ３は求める。アクトＡ５０において、残りの蓄電量が放電量Ｃａｐ−１よりも大きいとＣＰＵ３が判定すると、Ｙｅｓルートを通り、アクトＡ７において、ＣＰＵ３は放電量Ｃａｐ−１に応じた数のスイッチング素子２０９を選択的にオンする。
【０２６２】
つまり、冷却に必要な電力量が蓄電量を上回った場合、ＣＰＵ３は、蓄電部２０３からモータドライバ２４ｆ、ファンモータ５７へ電力を供給する様に切替える。
【０２６３】
引き続き、アクトＡ８において、ＣＰＵ３は切替スイッチ部１０を切替える。切替スイッチ部１０は、給電元を、低圧電源部８から蓄電部２０３に切替える。
【０２６４】
アクトＡ９において、蓄電部２０３からモータドライバ２４ｆ、ファンモータ５７へ電力が供給される。オン中のスイッチング素子２０９が放電する。ファン３７が回転し、ヒータ２７はファン風によって冷却される。
【０２６５】
アクトＡ５２において、ＣＰＵ３は蓄電量が０であるかどうかを判定する。蓄電量が０でない場合、ＣＰＵ３は温度検知回路２４ａの出力を監視し続ける（Ｎｏルート）。
【０２６６】
アクトＡ５２において、蓄電量が０である場合、Ｙｅｓルートを通り、ＣＰＵ３は、放電によりファン３６が止まったと判定する（アクトＡ５３）。ＣＰＵ３は節電モードを維持する（アクトＡ１０）。
【０２６７】
現時点での検知温度が、この検知温度から目標温度までヒータ２７の温度を下げることが可能である温度に達して始めてＣＰＵ３は切替える。
【０２６８】
第２の実施形態で提案するカラー複写機２００も、駆動系回路部に蓄電デバイス２０３を備えた回路を構成し、蓄電デバイス２０３から供給された電力によりファン３６、３７等を動作させ、駆動用ＡＣ／ＤＣ変換回路６０ｂからのファン３６、３７等への給電を遮断する。
【０２６９】
また、カラー複写機２００は、節電モードに移行する前の温度検知結果により冷却に必要なファンモータ５７、５８の駆動時間を推定する機能し、蓄電デバイス２０８が放電する電力量を決定する。
【０２７０】
これにより、蓄電デバイス２０８の放電が完了すると共にファン３６、３７等の回転が停止し、温度を常に監視するようなフィードバック機能無しでも、冷却動作が可能になる。
【０２７１】
駆動用ＡＣ／ＤＣ変換回路６０ｂからの給電を遮断する際、本体カバーの検知の入力部にてリレースイッチ部７０などを使用して低圧電源部８のＡＣ成分を遮断するという構成をカラー複写機２００が採る事により、電源内の電力ロスを低減させることができ、一次側消費電力の削減に繋がる。
【０２７２】
（その他）
上記実施形態ではスタンバイ状態のモードがレディモード及び節電モードに分岐するが、上記節電モードと実質同じで異なるモード名を持つ他のモードを用いて実施したに過ぎない発明に対しても画像形成装置の優位性は何ら損なわれるものではない。
【０２７３】
カラー複写機１は機種に応じて図１の例とは異なる動力伝達機構の構成を用いることができる。モータ５０、５１、５２、５３、５４、５５、及び図示しない他のモータのうち、いずれを止めるか、回すかについては、上述のモータのモータ種別に限定されると見るべきではない。
【０２７４】
感光体ドラム１６は個別にモータ５１が設けられていたが、各感光体ドラム１６はギア類を介して一つのドラムモータから回転力を伝達されてもよい。
【０２７５】
各駆動基板に必要な機能をそれぞれ複数枚の基板に分散させること、あるいは同じ基板に実装することが可能である。例えば駆動基板２４の構成の仕方やＩＣの実装箇所は種々変更可能である。
【０２７６】
上記実施形態では切替スイッチ部１０にはリレースイッチが用いられたが、トランジスタなどの半導体素子をスイッチングデバイスとして用いることができる。
【０２７７】
上記実施形態ではリレースイッチ部７０にはＡＣリレーが用いられたが、トランジスタなどの半導体素子をスイッチングデバイスとして用いることができる。
【０２７８】
図１、図２Ａ、図２Ｂ、図３、図４（ａ）〜図４（ｃ）の回路は一例であり、これらの回路の構成は種々変更可能である。
【０２７９】
定着器２３はヒートローラ２８によって加熱されていたが、プレスローラ２９内にハロゲンランプヒータを設けてもよい。
【０２８０】
消費電力のレベルはヒータ２７とハロゲンランプヒータとの総和で表される。総和がエナジースターにより規定される電力レベルの範囲に入るよう主制御部６は制御する。
【０２８１】
画像形成装置としてはモノクロ複写機、プリンタ、ＦＡＸ、ＭＦＰが用いられてもよい。
【０２８２】
蓄電量監視部４３は蓄電デバイス９ａの種類に応じて蓄電量の検出の方式は異なる。
【０２８３】
画像形成ユニット１２内には図示しない別の温度センサが設けられてもよい。各駆動基板には温度検知回路が設けられる。これらの温度検知回路は、制御回路部７１、２０６に接続される。
【０２８４】
尚、本発明は上記実施形態そのままに限定されるものではなく、実施段階ではその要旨を逸脱しない範囲で構成要素を変形して具体化できる。
【０２８５】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０２８６】
１，２００…カラー複写機（画像形成装置）、１ａ…機体、２…スキャナ部、３…ＣＰＵ（第１制御回路）、４…プリンタ部、５…給紙部、６，２０１…主制御部、７，２０２…電源部、８…低圧電源部、９，２０３…蓄電部、９ａ，２０８…蓄電デバイス、９ｂ…充放電部、１０…切替スイッチ部（経路切替部）、１１…ドキュメントフィーダ、１２…画像形成ユニット（画像形成部）、１３…ベルト、１４Ｙ、１４Ｍ、１４Ｃ、１４Ｋ…画像形成ステーション、１５ａ、１５ｂ…ローラ、１６…感光体ドラム、１７…帯電器、１８…現像器、１９…転写ローラ、２０…クリーナ、２１…除電器、２２…レーザ露光装置、２３…定着器、２４…駆動基板、２４ａ…温度検知回路、２４ｃ…制御ドライバ（第２制御回路）、２４ｄ…インターフェース部、２４ｅ，２４ｆ…モータドライバ、２５…排紙部、２６…排紙ローラ、２７…ヒータ、２８…ヒートローラ、２９…プレスローラ、２９ａ…スプリング、３０…温度センサ、３１…信号線、３２…搬送路、３３ａ、３３ｂ…カセット、３４…ローラ、３５…レジストローラ、３６，３７…ファン（冷却ファン）、３８…整流回路、３９…高圧電源部、４０…ヒータ駆動回路、４１…商用ＡＣ電源（商用電源）、４２…キャパシタセル、４３…蓄電量監視部、４４…画像処理部、４５…メカコントローラ、４６…ＲＯＭ、４７…コンパレータ、４８…抵抗器、４９…抵抗バイアス回路、５０，５１，５２，５３，５４，５５，５６…モータ、５７，５８…ファンモータ、５９ａ，５９ｂ…テーブル、６０ａ…制御用ＡＣ／ＤＣ変換回路（第１の電力系）、６０ｂ…駆動用ＡＣ／ＤＣ変換回路（第２の電力系）、６１，６６…スイッチング素子、６２，６７…スイッチングパルス生成回路、６３，６８…トランス、６４，６５，６９…整流／安定化回路、７０…リレースイッチ部（スイッチ）、７０ａ…コイル、７０ｂ…スイッチ、７１，２０６…制御回路部、７２…端子、７４，２０４…電力供給ユニット（電源供給ユニット）、２０７…放電スイッチ部、２０９…スイッチング素子、２１０…キャパシタブロック。
【図１】
2010244046.tif 000003
【図２Ａ】
2010244046.tif 000004
【図２Ｂ】
2010244046.tif 000005
【図３】
2010244046.tif 000006
【図４】
2010244046.tif 000007
【図５】
2010244046.tif 000008
【図６】
2010244046.tif 000009
【図７】
2010244046.tif 000010
【図８Ａ】
2010244046.tif 000011
【図８Ｂ】
2010244046.tif 000012
【図９】
2010244046.tif 000013
【図１０】
2010244046.tif 000014